(57)【要約】      （修正有）【課題】対象者に応じた健康に関する情報を提供する。【解決手段】情報処理装置（サーバ）は、対象者の健康に対する関心を示す第１の情報を取得する取得部と、前記第１の情報に基づいて、前記対象者の健康に対する関心度を推定する推定部と、前記関心度に基づいて、前記対象者へ提供する健康に関する第２の情報を選択する選択部と、前記第２の情報を出力する出力部とを備える。【選択図】図４
2020013309.tif 000002
【特許請求の範囲】
【請求項１】
対象者の健康に対する関心を示す第１の情報を取得する取得部と、
前記第１の情報に基づいて、前記対象者の健康に対する関心度を推定する推定部と、
前記関心度に基づいて、前記対象者へ提供する健康に関する第２の情報を選択する選択部と、
前記第２の情報を出力する出力部と、
を備える情報処理装置。
【請求項２】
前記第１の情報は、前記対象者と関連付けられている端末の健康に関する利用を示す情報を含み、
前記推定部は、前記健康に関する利用に基づいて前記関心度を推定する、
請求項１に記載の情報処理装置。
【請求項３】
前記健康に関する利用を示す情報は、前記端末から健康に関するウェブページへのアクセス回数またはアクセス頻度を示す情報を含み、
前記推定部は、前記アクセス回数または前記アクセス頻度に基づいて前記関心度を推定する、
請求項２に記載の情報処理装置。
【請求項４】
前記健康に関する利用を示す情報は、前記端末に登録されている健康に関するウェブページまたはアプリケーションの数を示す情報を含み、
前記推定部は、前記ウェブページまたは前記アプリケーションの数に基づいて前記関心度を推定する、
請求項２に記載の情報処理装置。
【請求項５】
前記健康に関する利用を示す情報は、前記端末に接続される健康に関する機器の数を示す情報を含み、
前記推定部は、前記健康に関する機器の数に基づいて前記関心度を推定する、
請求項２に記載の情報処理装置。
【請求項６】
前記推定部は、前記健康に関する利用に基づく前記関心度の推定に応じて前記関心度の推移を示す履歴を作成し、
前記選択部は、前記健康に関する利用に基づく前記関心度の推定に応じて前記履歴で示される前記関心度の最高レベルを検出し、前記関心度の前記最高レベルに対応するレベルの前記第２の情報を選択する、
請求項２から５のうちの何れか１項に記載の情報処理装置。
【請求項７】
前記推定部は、前記健康に関する利用に基づく前記関心度の推定に応じて前記関心度の推移を示す履歴を作成し、
前記選択部は、前記健康に関する利用に基づく前記関心度の推定に応じて前記端末と関連付けられている前記対象者の変更の有無を判断し、前記対象者の変更なしを示す判断結果に応じて、前記履歴で示される前記関心度の最高レベルを検出し、前記関心度の前記最高レベルに対応するレベルの前記第２の情報を選択し、前記対象者の変更ありを示す判断結果に応じて、前記健康に関する利用に基づいて推定された前記関心度に対応するレベル以下の前記第２の情報を選択する、
請求項２から５のうちの何れか１項に記載の情報処理装置。
【請求項８】
前記取得部は、第１の外部機器から前記第１の情報を取得し、
前記出力部は、前記第２の情報を前記第１の外部機器とは異なる第２の外部機器へ出力する、
請求項１に記載の情報処理装置。
【請求項９】
前記選択部は、前記関心度に応じて詳細度の異なる前記第２の情報を選択する、
請求項１から８のうちの何れか１項に記載の情報処理装置。
【請求項１０】
対象者の健康に対する関心を示す第１の情報を取得する取得過程と、
前記第１の情報に基づいて、前記対象者の健康に対する関心度を推定する推定過程と、
前記関心度に基づいて、前記対象者へ提供する健康に関する第２の情報を選択する選択過程と、
前記第２の情報を出力する出力過程と、
を備える情報処理方法。
【請求項１１】
請求項１から９のうちの何れか１項に記載の情報処理装置が備える各部の処理をコンピュータに実行させる情報処理のためのプログラム。
【発明の詳細な説明】
【技術分野】
【０００１】
この発明は、情報処理装置、情報処理方法及び情報処理のためのプログラムに関する。
【背景技術】
【０００２】
近年、人々の健康志向の高まりにより、健康に関する種々の技術が開発されている。
【０００３】
特許文献１は、ユーザの健康状態を分析し、現在のユーザの健康状態分析結果と健康指導情報をユーザに通知する技術を開示している。
【先行技術文献】
【特許文献】
【０００４】
【特許文献１】特開２００２−６３２７９号公報
【発明の概要】
【発明が解決しようとする課題】
【０００５】
しかしながら、特許文献１に開示されている健康指導情報は、同じ健康状態の複数のユーザに対して同一の内容になっている。そのため、健康指導情報は、誰でも理解できるような内容になっており、人によっては物足りない内容となっていることがある。
【０００６】
本発明の目的は、上記事情に着目してなされたもので、対象者に応じた健康に関する情報を提供する技術を提供することである。
【課題を解決するための手段】
【０００７】
本開示の第１の態様は、対象者の健康に対する関心を示す第１の情報を取得する取得部と、前記第１の情報に基づいて、前記対象者の健康に対する関心度を推定する推定部と、前記関心度に基づいて、前記対象者へ提供する健康に関する第２の情報を選択する選択部と、前記第２の情報を出力する出力部と、を備える情報処理装置である。  
健康に対する関心度の高い人と健康に対する関心度の低い人とでは、希望する健康情報の内容は異なる。情報処理装置は、対象者の関心度に基づいて、対象者に適した健康情報を提供することができる。対象者は、自身に適した健康情報を有効活用することができる。
【０００８】
本開示の第２の態様は、上記第１の態様において、前記第１の情報が、前記対象者と関連付けられている端末の健康に関する利用を示す情報を含み、前記推定部が、前記健康に関する利用に基づいて前記関心度を推定するようにしたものである。  
健康に対する関心度の高い人は、健康を目的として種々の用途で端末を利用する傾向にある。他方、健康に対する関心度の低い人は、健康を目的として端末をほとんど利用しない傾向にある。情報処理装置は、端末の健康に関する利用の実態を参照することで、健康に対する関心度の推定精度を向上させることができる。
【０００９】
本開示の第３の態様は、上記第２の態様において、前記健康に関する利用を示す情報が、前記端末から健康に関するウェブページへのアクセス回数またはアクセス頻度を示す情報を含み、前記推定部が、前記アクセス回数または前記アクセス頻度に基づいて前記関心度を推定するようにしたものである。  
健康に対する関心度の高い人は、端末を利用して健康に関するウェブページへ多くアクセスする傾向にある。他方、健康に対する関心度の低い人は、端末を利用して健康に関するウェブページへほとんどアクセスしない傾向にある。情報処理装置は、端末から健康に関するウェブページへのアクセス回数またはアクセス頻度を参照することで、健康に対する関心度の推定精度を向上させることができる。
【００１０】
本開示の第４の態様は、上記第２の態様において、前記健康に関する利用を示す情報が、前記端末に登録されている健康に関するウェブページまたはアプリケーションの数を示す情報を含み、前記推定部が、前記ウェブページまたは前記アプリケーションの数に基づいて前記関心度を推定するようにしたものである。  
健康に対する関心度の高い人は、端末で用いられているブラウザに多くの健康に関するウェブページのＵＲＬを登録する傾向にある。同様に、健康に対する関心度の高い人は、端末に健康に関するアプリケーションを多くインストールする傾向にある。他方、健康に対する関心度の低い人は、端末で用いられているブラウザにほとんど健康に関するウェブページのＵＲＬを登録しない傾向にある。同様に、健康に対する関心度の低い人は、端末に健康に関するアプリケーションをほとんどインストールしない傾向にある。情報処理装置は、端末に登録されている健康に関するウェブページまたはアプリケーションの数を参照することで、健康に対する関心度の推定精度を向上させることができる。
【００１１】
本開示の第５の態様は、上記第２の態様において、前記健康に関する利用を示す情報が、前記端末に接続される健康に関する機器の数または種類を示す情報を含み、前記推定部が、前記健康に関する機器の数または種類に基づいて前記関心度を推定するようにしたものである。  
健康に対する関心度の高い人は、多くの健康に関する機器を端末に接続する傾向にある。同様に、健康に対する関心度の高い人は、体重計などの家庭に普及している健康に関する機器だけでなく、血圧計などの医療的な健康に関する機器を端末に接続する傾向にある。血圧計などの医療的な健康に関する機器は、体重計などの家庭に普及している健康に関する機器よりも、健康に対する関心度の高い機器といえる。他方、健康に対する関心度の低い人は、ほとんど健康に関する機器を端末に接続しない傾向にある。同様に、健康に対する関心度の低い人は、体重計などの家庭に普及している健康に関する機器を端末に接続しても、血圧計などの医療的な健康に関する機器を端末に接続しない傾向にある。情報処理装置は、端末に接続される健康に関する機器の数または種類を参照することで、健康に対する関心度の推定精度を向上させることができる。
【００１２】
本開示の第６の態様は、上記第２の態様から第５の態様のうちの何れかの態様において、前記推定部が、前記健康に関する利用に基づく前記関心度の推定に応じて前記関心度の推移を示す履歴を作成し、前記選択部が、前記健康に関する利用に基づく前記関心度の推定に応じて前記履歴で示される前記関心度の最高レベルを検出し、前記関心度の前記最高レベルに対応するレベルの前記第２の情報を選択するようにしたものである。  
対象者の健康に対する関心度が以前よりも低くなったとしても、対象者の健康に関する知識レベルは高いままである。情報処理装置は、関心度の推移を示す履歴を参照することで、過去に対象者に提供した健康情報と比べて質を落とすことなく、対象者に適した詳細度の健康情報を提供することができる。対象者は、自身の理解可能なレベルの健康情報を受けるので、健康情報を有効活用することができる。
【００１３】
本開示の第７の態様は、上記第２の態様から第５の態様のうちの何れかの態様において、前記推定部が、前記健康に関する利用に基づく前記関心度の推定に応じて前記関心度の推移を示す履歴を作成し、前記選択部が、前記健康に関する利用に基づく前記関心度の推定に応じて前記端末と関連付けられている前記対象者の変更の有無を判断し、前記対象者の変更なしを示す判断結果に応じて、前記履歴で示される前記関心度の最高レベルを検出し、前記関心度の前記最高レベルに対応するレベルの前記第２の情報を選択し、前記対象者の変更ありを示す判断結果に応じて、前記健康に関する利用に基づいて推定された前記関心度に対応するレベル以下の前記第２の情報を選択するようにしたものである。  
端末と関連付けられている対象者（所有者）は、端末の譲渡などにより変わることがある。端末と関連付けられている現在の対象者の知識レベルは、以前に端末と関連付けられていた別の対象者の知識レベルよりも低いことがある。そのため、端末と関連付けられている現在の対象者は、以前の別の対象者に提供されたレベルと同じレベルの健康情報を受けても理解することができない可能性がある。端末と関連付けられている現在の対象者は、現在の自身の関心度に対応するレベル以下の健康情報を受ける方が好ましい。情報処理装置は、端末と関連付けられている対象者の変更の有無に応じて対象者に提供する健康情報のレベルを変更することで、対象者に適した詳細度の健康情報を提供することができる。
【００１４】
本開示の第８の態様は、上記第１の態様において、前記取得部が、第１の外部機器から前記第１の情報を取得し、前記出力部が、前記第２の情報を前記第１の外部機器とは異なる第２の外部機器へ出力するようにしたものである。  
例えば、対象者は、ＡＩ（Ａｒｔｉｆｉｃｉａｌ  Ｉｎｔｅｌｌｉｇｅｎｃｅ）スピーカまたはスマートスピーカなどの第１の外部機器に健康に関する内容を発声により入力し、自身の携帯端末などの第２の外部機器で健康情報を確認したいことがある。対象者は、健康に関する内容の入力と健康情報の確認を異なる機器で行うことができるので、対象者の利便性は向上する。
【００１５】
本開示の第９の態様は、上記第１の態様から第８の態様のうちの何れかの態様において、前記選択部が、前記関心度に応じて詳細度の異なる前記第２の情報を選択するようにしたものである。  
対象者の健康に対する関心度が高くなればなるほど、対象者は、より詳細な健康に関する情報を望む傾向にある。情報処理装置は、対象者の関心度に基づいて、対象者に適した詳細度の健康情報を提供することができる。対象者は、自身に適した健康情報を有効活用することができる。
【００１６】
本開示の第１０の態様は、対象者の健康に対する関心を示す第１の情報を取得する取得過程と、前記第１の情報に基づいて、前記対象者の健康に対する関心度を推定する推定過程と、前記関心度に基づいて、前記対象者へ提供する健康に関する第２の情報を選択する選択過程と、前記第２の情報を出力する出力過程と、を備える情報処理方法である。  
第１０の態様によれば、情報処理方法は、上述の第１の態様と同様の効果を得ることができる。
【００１７】
本開示の第１１の態様は、第１の態様から第９の態様のうちの何れかの情報処理装置が備える各部の処理をコンピュータに実行させる情報処理のためのプログラムである。  
第１１の態様によれば、情報処理のためのプログラムは、上述の第１の態様と同様の効果を得ることができる。
【発明の効果】
【００１８】
本発明によれば、対象者に応じた健康に関する情報を提供する技術を提供することができる。
【図面の簡単な説明】
【００１９】
【図１】本実施形態に係るサーバの適用例を模式的に示す図。
【図２】本実施形態に係る情報配信システムの全体構成を例示する図。
【図３】本実施形態に係るサーバのハードウェア構成を例示するブロック図。
【図４】本実施形態に係るサーバのソフトウェア構成を例示するブロック図。
【図５】本実施形態に係る携帯端末のハードウェア構成を例示するブロック図。
【図６】本実施形態に係るサーバにおける情報出力動作を例示するフローチャート。
【発明を実施するための形態】
【００２０】
以下、本開示に係る実施の形態（以下、「本実施形態」とも表記する）を、図面に基づいて説明する。ただし、以下で説明する本実施形態は、あらゆる点において例示に過ぎない。なお、以降、説明済みの要素と同一または類似の要素には同一または類似の符号を付し、重複する説明については基本的に省略する。
【００２１】
§１  適用例  
本実施形態は、各人の健康に対する関心を示す関心情報に基づいて、各人に応じた健康に関する健康情報を配信する技術である。
【００２２】
図１は、サーバＡ１の適用例を模式的に示す図である。  
サーバＡ１は、ネットワークを介して、携帯端末Ａ２から、携帯端末Ａ２と関連付けられている対象者の関心情報を受信する。サーバＡ１は、関心情報に基づいて、対象者の健康に対する関心度を推定する。サーバＡ１は、関心度に基づいて、対象者へ提供する健康情報を選択する。サーバＡ１は、健康情報を携帯端末Ａ２へ送信する。対象者は、携帯端末Ａ２で自身に適した健康情報を確認することができる。
【００２３】
このように、サーバＡ１は、各人に応じた健康情報を提供することができる。
【００２４】
§２  構成例  
＜情報配信システム＞  
図２は、情報配信システム１００の全体構成を例示する図である。情報配信システム１００は、各人の健康に対する関心を示す情報に基づいて、各人に応じた健康に関する情報を配信するためのシステムである。健康に対する関心を示す情報は、関心情報ともいう。関心情報は、第１の情報ともいう。関心情報の例については後述する。健康に関する情報は、健康情報ともいう。健康情報は、第２の情報ともいう。健康情報の例については後述する。
【００２５】
情報配信システム１００は、サーバ１及び携帯端末２を備える。サーバ１及び携帯端末２は、互いにネットワークを介して通信可能である。例えば、ネットワークは、インターネットである。
【００２６】
サーバ１は、各人の関心度に基づいて各人に応じた健康情報を配信する装置である。サーバ１は、各人の関心情報に基づいて各人の健康に関する関心度を推定することができる。
【００２７】
携帯端末２は、携帯端末２と関連付けられている対象者の関心情報をサーバ１へ送信する装置である。携帯端末２と関連付けられている対象者は、携帯端末２の所有者ともいえる。例えば、携帯端末２は、スマートフォンまたはタブレットであるが、これらに限定されない。携帯端末２は、血圧計３と直接的に通信し、血圧データを受信する。血圧計３は、携帯端末２に接続される機器である。同様に、携帯端末２は、体重計４と直接的に通信し、体重データを受信する。体重計４は、携帯端末２に接続される機器である。血圧計３及び体重計４は、健康に関する機器の例である。健康に関する機器は、後述するように、対象者の関心情報に関連する。
【００２８】
＜サーバ＞
［ハードウェア構成］  
図３は、サーバ１のハードウェア構成を例示するブロック図である。  
サーバ１は、プロセッサ１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、記憶装置１０４及び通信インタフェース１０５を備える。各要素は、互いに電気的に接続されている。なお、図３では、通信インタフェースを、「通信Ｉ／Ｆ」と記載している。
【００２９】
プロセッサ１０１は、サーバ１の各要素を制御する。例えば、プロセッサ１０１は、ＣＰＵ（Ｃｅｎｔｒａｌ  Ｐｒｏｃｅｓｓｉｎｇ  Ｕｎｉｔ）であるが、これに限定されない。プロセッサ１０１は、記憶装置１０４に格納されたサーバ１を実行させるためのプログラムをＲＡＭ１０３に展開する。そして、プロセッサ１０１がＲＡＭ１０３に展開されたプログラムを解釈及び実行することで、プロセッサ１０１は、各種動作を実行可能である。
【００３０】
記憶装置１０４は、いわゆる補助記憶装置である。例えば、記憶装置１０４は、ＨＤＤ（Ｈａｒｄ  Ｄｉｓｋ  Ｄｒｉｖｅ）であるが、これに限定されない。記憶装置１０４は、プロセッサ１０１で実行されるプログラムを記憶する。なお、プログラムは、予め記憶装置１０４に記憶されていてもよい。プログラムは、ネットワークを介してサーバ１にダウンロードされてもよい。プログラムは、非一時的なコンピュータ可読媒体に記憶され、流通していてもよい。
【００３１】
記憶装置１０４は、サーバ１が各人の携帯端末２から受信した関心情報を記憶する。サーバ１は、各人の携帯端末２が自律的に送信する関心情報の受信に基づいて、関心情報を記憶装置１０４に保存してもよい。これに代えて、サーバ１は、各人の携帯端末２に対して関心情報の要求を送信し、携帯端末２からの関心情報の受信に基づいて、関心情報を記憶装置１０４に保存してもよい。
【００３２】
関心情報の例について説明する。例えば、関心情報は、各人と関連付けられている携帯端末２の健康に関する利用を示す情報を含む。携帯端末２の健康に関する利用を示す情報は、利用情報ともいう。利用情報は、携帯端末２における健康に関する利用に基づく値を示す情報である。なお、関心情報は、各人の健康に対する関心を示す情報であればよく、利用情報に限定されるものではない。
【００３３】
利用情報について以下に例示するが、利用情報は、以下の例に限定されるものではない。  
一例では、利用情報は、携帯端末２から健康に関するウェブページへのアクセス回数またはアクセス頻度を示す情報を含む。健康に関するウェブページは、健康に結びつく可能性のあるウェブページであればよい。健康に関するウェブページに含まれる範囲は、任意に設定可能である。健康に関するウェブページは、医療についてのウェブページを含んでいてもよい。健康に関するウェブページは、薬剤についてのウェブページを含んでいてもよい。健康に関するウェブページは、病気についてのウェブページを含んでいてもよい。健康に関するウェブページは、運動についてのウェブページを含んでいてもよい。健康に関するウェブページは、血圧計または体重計などの健康に関する機器についてのウェブページを含んでいてもよい。アクセス回数は、予め決められた所定期間内におけるアクセス回数であってもよい。アクセス回数は、携帯端末２の動作開始時から現在までの間のアクセス回数であってもよい。アクセス回数は、複数回の同じウェブページへのアクセスを１回とカウントしてもよい。アクセス回数は、同じウェブページへの複数回のアクセスであっても延べ回数をカウントしてもよい。アクセス頻度は、予め決められた所定期間内におけるアクセス頻度であっても、携帯端末２の動作開始時から現在までの間のアクセス頻度であってもよい。アクセス頻度は、健康に関するウェブページへアクセスする平均の時間間隔であってもよい。アクセス頻度は、各人がアクセスした全てのウェブページに占める健康に関するウェブページの割合であってもよい。
【００３４】
別の例では、利用情報は、携帯端末２に登録されている健康に関するウェブページまたはアプリケーションの数を示す情報を含む。例えば、携帯端末２に登録されている健康に関するウェブページの数は、携帯端末２で用いられているブラウザに登録されている健康に関するウェブページのＵＲＬ（Ｕｎｉｆｏｒｍ  Ｒｅｓｏｕｒｃｅ  Ｌｏｃａｔｏｒ）の数に相当する。例えば、携帯端末２に登録されている健康に関するアプリケーションの数は、携帯端末２にインストールされている健康に関するアプリケーションの数に相当する。
【００３５】
さらに別の例では、利用情報は、携帯端末２に接続される健康に関する機器の数または種類を示す情報を含む。例えば、携帯端末２に接続される健康に関する機器の数は、携帯端末２と健康に関する機器との間の通信を可能にするために携帯端末２にインストールされているアプリケーションの数に相当する。血圧計３との通信を可能にするためのアプリケーション及び体重計４との通信を可能にするためのアプリケーションが携帯端末２にインストールされている場合、携帯端末２に接続される健康に関する機器の数は、２である。例えば、携帯端末２に接続される健康に関する機器の種類は、携帯端末２と健康に関する機器との間の通信を可能にするために携帯端末２にインストールされているアプリケーションの種類に相当する。血圧計３との通信を可能にするためのアプリケーションが携帯端末２にインストールされている場合、携帯端末２に接続される健康に関する機器の種類は、血圧計を含む。体重計４との通信を可能にするためのアプリケーションが携帯端末２にインストールされている場合、携帯端末２に接続される健康に関する機器の種類は、体重計を含む。
【００３６】
記憶装置１０４は、健康情報を記憶する。例えば、記憶装置１０４は、詳細度の異なる健康情報を記憶する。詳細度は、難易度または専門度にも相当する。例えば、詳細度は３段階である。詳細度が高の健康情報は、一定以上の知識を有する人が理解することができるレベルの情報である。例えば、詳細度が高の健康情報は、高血圧に効果を発揮する薬剤の成分及び薬剤の作用メカニズムなどの詳細な情報であってもよい。詳細度が中の健康情報は、ある程度の人が理解することができるレベルの情報である。例えば、詳細度が中の健康情報は、高血圧を予防するための日常生活の健康法などの情報であってもよい。詳細度が低の健康情報は、大多数の人が理解することができるレベルの情報である。例えば、詳細度が低の健康情報は、高血圧とは何かを説明する概略的な情報であってもよい。なお、詳細度は、２段階または４段階以上であってもよい。
【００３７】
通信インタフェース１０５は、サーバ１を他の装置と通信可能に接続するためのインタフェースである。通信インタフェース１０５は、有線通信のためのインタフェースを含んでいても、移動通信（３Ｇ、４Ｇなど）及びＷＬＡＮなどの無線通信のためのインタフェースを含んでいてもよい。
【００３８】
なお、サーバ１の具体的なハードウェア構成に関して、実施形態に応じて、適宜、構成要素の省略、置換及び追加が可能である。例えば、サーバ１は、複数のプロセッサを含んでもよい。
【００３９】
［ソフトウェア構成］  
図４は、サーバ１のソフトウェア構成を例示するブロック図である。  
プロセッサ１０１は、取得部１０１１、推定部１０１２、選択部１０１３及び出力部１０１４を実装する。
【００４０】
取得部１０１１について説明する。取得部１０１１は、以下に例示するように、対象者の関心情報を取得する。取得部１０１１は、記憶装置１０４に記憶されている対象者の関心情報を取得する。取得部１０１１は、対象者の関心情報を推定部１０１２へ出力する。記憶装置１０４に記憶されている各人の関心情報を推定部１０１２へ順次出力する。取得部１０１１は、任意のタイミングで関心情報の取得処理を実行してもよい。取得部１０１１は、一定期間毎に関心情報の取得処理を実行してもよい。
【００４１】
推定部１０１２について説明する。推定部１０１２は、以下に例示するように、対象者の関心情報に基づいて、対象者の健康に対する関心度を推定する。まず、推定部１０１２は、取得部１０１１から対象者の関心情報を受ける。次に、推定部１０１２は、対象者の関心情報を参照する。例えば、推定部１０１２は、関心情報に含まれる１以上の情報に基づく値を用いて、関心度を推定することができる。推定部１０１２は、関心情報に含まれる１以上の情報に基づく値を予め決められた算出式に入れて関心度を推定してもよい。推定部１０１２は、関心情報に含まれる１以上の情報に基づく値に予め決められた規則に従って重み係数を与えてもよい。
【００４２】
推定部１０１２は、対象者の関心情報に含まれる利用情報を参照してもよい。推定部１０１２は、利用情報によって示される携帯端末２の健康に関する利用に基づいて、対象者の健康に対する関心度を推定することができる。対象者による携帯端末２の健康に関する利用が多くなるに応じて、推定部１０１２は、より高い関心度を推定する。例えば、推定部１０１２は、利用情報に含まれる１以上の情報に基づく値を用いて、関心度を推定することができる。推定部１０１２は、利用情報に含まれる１以上の情報に基づく値を予め決められた算出式に入れて関心度を推定してもよい。推定部１０１２は、利用情報に含まれる１以上の情報に基づく値に予め決められた規則に従って重み係数を与えてもよい。
【００４３】
推定部１０１２は、利用情報に含まれる携帯端末２から健康に関するウェブページへのアクセス回数またはアクセス頻度を示す情報を参照してもよい。推定部１０１２は、携帯端末２から健康に関するウェブページへのアクセス回数またはアクセス頻度に基づいて、対象者の健康に対する関心度を推定することができる。携帯端末２から健康に関するウェブページへのアクセス回数またはアクセス頻度が多くなるに応じて、推定部１０１２は、より高い関心度を推定する。一例では、推定部１０１２は、アクセス回数またはアクセス頻度を予め決められた算出式に入れて関心度を推定してもよい。別の例では、推定部１０１２は、予め決められたアクセス回数と関心度とを対応付けたテーブルを参照し、アクセス回数に基づいて関心度を推定してもよい。同様に、推定部１０１２は、予め決められたアクセス頻度と関心度とを対応付けたテーブルを参照し、アクセス頻度に基づいて関心度を推定してもよい。これらのテーブルは、記憶装置１０４に記憶されている。
【００４４】
推定部１０１２は、利用情報に含まれる携帯端末２に登録されている健康に関するウェブページまたはアプリケーションの数を示す情報を参照してもよい。推定部１０１２は、携帯端末２に登録されている健康に関するウェブページまたはアプリケーションの数に基づいて、対象者の健康に対する関心度を推定することができる。携帯端末２に登録されている健康に関するウェブページまたはアプリケーションの数が多くなるに応じて、推定部１０１２は、より高い関心度を推定する。一例では、推定部１０１２は、ウェブページまたはアプリケーションの数を予め決められた算出式に入れて関心度を推定してもよい。別の例では、推定部１０１２は、予め決められたウェブページの数と関心度とを対応付けたテーブルを参照し、ウェブページの数に基づいて関心度を推定してもよい。同様に、推定部１０１２は、予め決められたアプリケーションの数と関心度とを対応付けたテーブルを参照し、アプリケーションの数に基づいて関心度を推定してもよい。これらのテーブルは、記憶装置１０４に記憶されている。
【００４５】
推定部１０１２は、利用情報に含まれる携帯端末２に接続される健康に関する機器の数または種類を示す情報を参照してもよい。推定部１０１２は、携帯端末２に接続される健康に関する機器の数または種類に基づいて、対象者の健康に対する関心度を推定することができる。携帯端末２に接続される健康に関する機器の数が多くなるに応じて、推定部１０１２は、より高い関心度を推定する。携帯端末２に接続される健康に関する機器の種類が特定の種類（例えば、血圧計などの医療的な健康に関する機器）を含む場合、推定部１０１２は、より高い関心度を推定する。一例では、推定部１０１２は、健康に関する機器の数または種類を予め決められた算出式に入れて関心度を推定してもよい。別の例では、推定部１０１２は、予め決められた健康に関する機器の数と関心度とを対応付けたテーブルを参照し、健康に関する機器の数に基づいて関心度を推定してもよい。同様に、推定部１０１２は、予め決められた健康に関する機器の種類と関心度とを対応付けたテーブルを参照し、健康に関する機器の種類に基づいて関心度を推定してもよい。これらのテーブルは、記憶装置１０４に記憶されている。
【００４６】
推定部１０１２は、対象者の関心度を示す情報を選択部１０１３へ出力する。
【００４７】
選択部１０１３について説明する。選択部１０１３は、以下に例示するように、対象者の関心度に基づいて、対象者へ提供する健康情報を選択する。まず、選択部１０１３は、推定部１０１２から対象者の関心度を示す情報を受ける。次に、選択部１０１３は、対象者の関心度に基づいて、記憶装置１０４から健康情報を選択する。選択部１０１３は、記憶装置１０４から対象者の関心度に対応する健康情報を選択する。選択部１０１３は、対象者の関心度に応じて詳細度の異なる健康情報を選択してもよい。例えば、選択部１０１３は、予め決められた関心度と健康情報とを対応付けたテーブルを参照し、健康情報の選択処理を実行することができる。このテーブルは、記憶装置１０４に記憶されている。選択部１０１３は、このテーブルを参照し、記憶装置１０４から対象者の関心度に対応するレベルの健康情報を選択する。選択部１０１３は、対象者の健康情報を出力部１０１４へ出力する。
【００４８】
出力部１０１４について説明する。出力部１０１４は、以下に例示するように、対象者の健康情報を出力する。まず、出力部１０１４は、選択部１０１３から対象者の健康情報を受ける。次に、出力部１０１４は、通信インタフェース１０５を介して、対象者へ提供する健康情報を、対象者と関連付けられている携帯端末２へ出力する。これにより、携帯端末２は、表示部２０７に健康情報を表示することができる。対象者は、携帯端末２で自身に適した健康情報を確認することができる。
【００４９】
＜携帯端末＞
［ハードウェア構成］  
図５は、携帯端末２のハードウェア構成を例示するブロック図である。  
携帯端末２は、プロセッサ２０１、ＲＯＭ２０２、ＲＡＭ２０３、記憶装置２０４、通信インタフェース２０５、入力部２０６、表示部２０７及び音声出力部２０８を備える。各要素は、互いに電気的に接続されている。なお、図５では、通信インタフェースを、「通信Ｉ／Ｆ」と記載している。
【００５０】
プロセッサ２０１は、携帯端末２の各要素を制御する。例えば、プロセッサ２０１は、ＣＰＵであるが、これに限定されない。プロセッサ１０１は、記憶装置２０４に格納された携帯端末２を実行させるためのプログラムをＲＡＭ２０３に展開する。そして、プロセッサ２０１がＲＡＭ２０３に展開されたプログラムを解釈及び実行することで、プロセッサ２０１は、各種動作を実行可能である。
【００５１】
記憶装置２０４は、いわゆる補助記憶装置である。例えば、記憶装置２０４は、内蔵または外付けのフラッシュメモリなどの半導体メモリであるが、これらに限定されない。記憶装置２０４は、プロセッサ２０１で実行されるプログラムを記憶する。なお、プログラムは、予め記憶装置２０４に記憶されていてもよい。プログラムは、ネットワークを介して携帯端末２にダウンロードされてもよい。プログラムは、非一時的なコンピュータ可読媒体に記憶され、流通していてもよい。  
記憶装置２０４は、関心情報を記憶する。関心情報は、プロセッサ２０１の処理によって導き出される。例えば、プロセッサ２０１は、ウェブページへのアクセス履歴を参照して健康に関するウェブページへのアクセス回数またはアクセス頻度を導き出す。プロセッサ２０１は、健康に関するウェブページへのアクセス回数またはアクセス頻度を示す情報を記憶装置２０４に保存する。例えば、プロセッサ２０１は、ブラウザに登録されているウェブページのＵＲＬを参照して携帯端末２に登録されている健康に関するウェブページまたはアプリケーションの数を導き出す。プロセッサ２０１は、携帯端末２に登録されている健康に関するウェブページまたはアプリケーションの数を示す情報を記憶装置２０４に保存する。例えば、プロセッサ２０１は、携帯端末２にインストールされているアプリケーションの数を参照して携帯端末２に接続される健康に関する機器の数を導き出す。プロセッサ２０１は、携帯端末２にインストールされているアプリケーションの種類を参照して携帯端末２に接続される健康に関する機器の種類を導き出す。プロセッサ２０１は、携帯端末２に接続される健康に関する機器の数または種類を示す情報を記憶装置２０４に保存する。
【００５２】
通信インタフェース２０５は、携帯端末２を他の装置と通信可能に接続するためのインタフェースである。通信インタフェース２０５は、近距離無線通信方式用のモジュールを含む。近距離無線通信方式は、例えばブルートゥース（登録商標）による通信方式であるが、これに限定されない。通信インタフェース２０５は、近距離無線通信方式を用いて、血圧計３及び体重計４と直接的に通信することができる。さらに、通信インタフェース２０５は、移動通信（３Ｇ、４Ｇなど）及びＷＬＡＮなどのための各種無線通信方式用のモジュールを含む。この場合、通信インタフェース２０５は、各種無線通信方式を用いて、サーバ１と通信することができる。
【００５３】
入力部２０６は、対象者の入力による指示を受け付ける装置である。例えば、入力部２０６は、タッチパネル及び操作キーを含むが、これらに限定されない。入力部２０６は、対象者の入力による指示に応じた信号をプロセッサ２０１へ出力する。なお、入力部２０６は、対象者の操作に基づく入力による指示を受け付ける装置に限定されるものではなく、
対象者の音声に基づく入力による指示を受け付ける装置であってもよい。
【００５４】
表示部２０７は、情報を表示する装置である。例えば、表示部２０７は、液晶ディスプレイであるが、これに限定されない。
【００５５】
音声出力部２０８は、音声を出力する装置である。例えば、音声出力部２０８は、スピーカであるが、これに限定されない。
【００５６】
なお、携帯端末２の具体的なハードウェア構成に関して、実施形態に応じて、適宜、構成要素の省略、置換及び追加が可能である。例えば、携帯端末２は、複数のプロセッサを含んでもよい。
【００５７】
§３  動作例  
＜サーバ＞  
[情報出力動作]    
図６は、サーバ１における情報出力動作を例示するフローチャートである。なお、以下で説明する処理手順は一例に過ぎず、各処理は可能な限り変更されてよい。また、以下で説明する処理手順については、適宜、ステップの省略、置換及び追加が可能である。
【００５８】
取得部１０１１は、関心情報を取得する（ステップＳ１０１）。ステップＳ１０１では、取得部１０１１は、例示したように、記憶装置１０４から対象者の関心情報を取得する。取得部１０１１は、関心情報を推定部１０１２へ出力する。
【００５９】
推定部１０１２は、関心度を推定する（ステップＳ１０２）。ステップＳ１０２では、推定部１０１２は、例示したように、関心情報に基づいて、対象者の健康に対する関心度を推定する。推定部１０１２は、関心度を示す情報を選択部１０１３へ出力する。
【００６０】
選択部１０１３は、健康情報を選択する（ステップＳ１０３）。ステップＳ１０３では、選択部１０１３は、例示したように、対象者の関心度に基づいて、対象者へ提供する健康情報を選択する。例えば、選択部１０１３は、関心度に応じて詳細度の異なる健康情報を選択する。選択部１０１３は、健康情報を出力部１０１４へ出力する。
【００６１】
出力部１０１４は、健康情報を出力する（ステップＳ１０４）。ステップＳ１０４では、出力部１０１４は、例示したように、通信インタフェース１０５を介して、対象者へ提供する健康情報を、対象者と関連付けられている携帯端末２へ出力する。
【００６２】
プロセッサ１０１は、記憶装置１０４から各人の関心情報を取得する毎に、上述の情報出力動作を繰り返し実行することができる。
【００６３】
なお、ステップＳ１０２において、推定部１０１２は、上述のように、対象者と関連付けられている携帯端末２の健康に関する利用に基づいて対象者の関心度を推定してもよい。この例では、関心情報は、利用情報を含む。
【００６４】
なお、ステップＳ１０２において、推定部１０１２は、上述のように、携帯端末２から健康に関するウェブページへのアクセス回数またはアクセス頻度に基づいて健康に対する関心度を推定してもよい。この例では、利用情報は、携帯端末２から健康に関するウェブページへのアクセス回数またはアクセス頻度を示す情報を含む。
【００６５】
なお、ステップＳ１０２において、推定部１０１２は、上述のように、携帯端末２に登録されている健康に関するウェブページまたはアプリケーションの数に基づいて健康に対する関心度を推定してもよい。この例では、利用情報は、携帯端末２に登録されている健康に関するウェブページまたはアプリケーションの数を示す情報を含む。
【００６６】
なお、ステップＳ１０２において、推定部１０１２は、上述のように、携帯端末２に接続される健康に関する機器の数または種類に基づいて健康に対する関心度を推定してもよい。この例では、利用情報は、携帯端末２に接続される健康に関する機器の数または種類を示す情報を含む。
【００６７】
なお、ステップＳ１０２において、推定部１０１２は、対象者と関連付けられている携帯端末２の健康に関する利用に基づく関心度の推定に応じて、関心度の推移を示す履歴を作成してもよい。履歴は、関心度の推定日時と関心度のレベルを関連付けている。履歴は、この履歴と関連付けられている携帯端末２の識別情報を含んでいてもよい。履歴は、この履歴と関連付けられている対象者の識別情報を含んでいてもよい。携帯端末２の識別情報及び対象者の識別情報は、サーバ１が携帯端末２から受信する関心情報に含まれていてもよい。推定部１０１２は、履歴を記憶装置１０４に保存してもよい。推定部１０１２が履歴を作成する場合、ステップＳ１０３において、選択部１０１３は、以下のように健康情報を選択する。
【００６８】
一例では、選択部１０１３は、対象者と関連付けられている携帯端末２の健康に関する利用に基づく関心度の推定に応じて、履歴で示される関心度の最高レベルを検出する。例えば、選択部１０１３は、履歴に含まれる複数の関心度のレベルの中から、関心度の最高レベルを検出する。次に、選択部１０１３は、関心度の最高レベルに対応するレベルの健康情報を選択する。例えば、選択部１０１３は、記憶装置１０４に記憶されている予め決められた関心度と健康情報とを対応付けたテーブルを参照し、関心度の最高レベルに対応するレベルの健康情報を選択する。
【００６９】
別の例では、選択部１０１３は、対象者と関連付けられている携帯端末２の健康に関する利用に基づく関心度の推定に応じて、携帯端末２と関連付けられている対象者の変更の有無を判断する。例えば、選択部１０１３は、関心度の推定の基となる関心情報に含まれる携帯端末２の識別情報及び対象者の識別情報を参照する。選択部１０１３は、記憶装置１０４から関心情報に含まれる携帯端末２の識別情報と関連付けられている履歴を取得する。選択部１０１３は、関心情報に含まれる対象者の識別情報を履歴に含まれる対象者の識別情報と比較する。関心情報に含まれる対象者の識別情報が履歴に含まれる対象者の識別情報に対応する場合、選択部１０１３は、携帯端末２と関連付けられている対象者の変更なしと判断する。他方、関心情報に含まれる対象者の識別情報が履歴に含まれる対象者の識別情報に対応しない場合、選択部１０１３は、携帯端末２と関連付けられている対象者の変更ありと判断する。これにより、選択部１０１３は、対象者の変更なし、または、対象者の変更ありの何れかを判断することができる。次に、選択部１０１３は、対象者の変更なしを示す判断結果に応じて、履歴で示される関心度の最高レベルを検出する。例えば、選択部１０１３は、履歴に含まれる複数の関心度のレベルの中から、関心度の最高レベルを検出する。次に、選択部１０１３は、関心度の最高レベルに対応するレベルの健康情報を選択する。他方、選択部１０１３は、対象者の変更ありを示す判断結果に応じて、推定部１０１２によって健康に関する利用に基づいて推定された関心度に対応するレベル以下の健康情報を選択する。例えば、選択部１０１３は、記憶装置１０４に記憶されている予め決められた関心度と健康情報とを対応付けたテーブルを参照し、推定部１０１２によって推定された関心度に対応するレベル以下の健康情報を選択する。なお、選択部１０１３は、関心度に対応するレベルの健康情報または関心度に対応するレベル未満の健康情報の何れを選択してもよい。選択する基準は、任意に設定可能である。
【００７０】
なお、上述したように、サーバ１は、携帯端末２から対象者の関心情報を取得し、健康情報を携帯端末２へ出力しているが、これに限定されない。サーバ１は、第１の外部機器から対象者の関心情報を取得し、健康情報を第１の外部機器とは異なる第２の外部機器へ出力してもよい。そのため、取得部１０１１は、第１の外部機器から関心情報を取得する。出力部１０１４は、健康情報を第２の外部機器へ出力する。第１の外部機器は、対象者が発した健康に関する内容を受け付け、対象者が発した健康に関する内容に基づいて関心情報を生成する。第１の外部機器は、関心情報をサーバ１へ送信する。例えば、第１の外部機器は、ＡＩスピーカまたはスマートスピーカなどの機器であるが、これらに限定されない。例えば、第２の外部機器は、携帯端末２などであるが、これに限定されない。
【００７１】
§４  作用・効果
以上説明したように、本実施形態では、サーバ１は、対象者の関心情報に基づいて健康に対する関心度を推定し、関心度に基づく健康情報を出力することができる。  
健康に対する関心度の高い人と健康に対する関心度の低い人とでは、希望する健康情報の内容は異なる。サーバ１は、対象者の関心度に基づいて、対象者に適した健康情報を提供することができる。対象者は、自身に適した健康情報を有効活用することができる。
【００７２】
さらに、本実施形態では、サーバ１は、対象者と関連付けられている携帯端末２の健康に関する利用に基づいて、健康に対する関心度を推定することができる。  
健康に対する関心度の高い人は、健康を目的として種々の用途で携帯端末２を利用する傾向にある。他方、健康に対する関心度の低い人は、健康を目的として携帯端末２をほとんど利用しない傾向にある。サーバ１は、携帯端末２の健康に関する利用の実態を参照することで、健康に対する関心度の推定精度を向上させることができる。
【００７３】
さらに、本実施形態では、サーバ１は、携帯端末２から健康に関するウェブページへのアクセス回数またはアクセス頻度に基づいて健康に対する関心度を推定することができる。  
健康に対する関心度の高い人は、携帯端末２を利用して健康に関するウェブページへ多くアクセスする傾向にある。他方、健康に対する関心度の低い人は、携帯端末２を利用して健康に関するウェブページへほとんどアクセスしない傾向にある。サーバ１は、携帯端末２からの健康に関するウェブページへのアクセス回数またはアクセス頻度を参照することで、健康に対する関心度の推定精度を向上させることができる。
【００７４】
さらに、本実施形態では、サーバ１は、携帯端末２に登録されている健康に関するウェブページまたはアプリケーションの数に基づいて健康に対する関心度を推定することができる。  
健康に対する関心度の高い人は、携帯端末２で用いられているブラウザに多くの健康に関するウェブページのＵＲＬを登録する傾向にある。同様に、健康に対する関心度の高い人は、携帯端末２に健康に関するアプリケーションを多くインストールする傾向にある。他方、健康に対する関心度の低い人は、携帯端末２で用いられているブラウザにほとんど健康に関するウェブページのＵＲＬを登録しない傾向にある。同様に、健康に対する関心度の低い人は、携帯端末２に健康に関するアプリケーションをほとんどインストールしない傾向にある。サーバ１は、携帯端末２に登録されている健康に関するウェブページまたはアプリケーションの数を参照することで、健康に対する関心度の推定精度を向上させることができる。
【００７５】
さらに、本実施形態では、サーバ１は、携帯端末２に接続される健康に関する機器の数または種類に基づいて健康に対する関心度を推定することができる。  
健康に対する関心度の高い人は、多くの健康に関する機器を携帯端末２に接続する傾向にある。同様に、健康に対する関心度の高い人は、体重計４などの家庭に普及している健康に関する機器だけでなく、血圧計３などの医療的な健康に関する機器を携帯端末２に接続する傾向にある。血圧計３などの医療的な健康に関する機器は、体重計４などの家庭に普及している健康に関する機器よりも、健康に対する関心度の高い機器といえる。他方、健康に対する関心度の低い人は、ほとんど健康に関する機器を携帯端末２に接続しない傾向にある。同様に、健康に対する関心度の低い人は、体重計４などの家庭に普及している健康に関する機器を携帯端末２に接続しても、血圧計３などの医療的な健康に関する機器を携帯端末２に接続しない傾向にある。サーバ１は、携帯端末２に接続される健康に関する機器の数または種類を参照することで、健康に対する関心度の推定精度を向上させることができる。
【００７６】
さらに、本実施形態では、サーバ１は、履歴から関心度の最高レベルを検出し、関心度の最高レベルに対応するレベルの健康情報を選択することができる。  
対象者の健康に対する関心度が以前よりも低くなったとしても、対象者の健康に関する知識レベルは高いままである。サーバ１は、関心度の推移を示す履歴を参照することで、過去に対象者に提供した健康情報と比べて質を落とすことなく、対象者に適した詳細度の健康情報を提供することができる。対象者は、自身の理解可能なレベルの健康情報を受けるので、健康情報を有効活用することができる。
【００７７】
さらに、本実施形態では、サーバ１は、携帯端末２と関連付けられている対象者の変更なしを示す判断結果に応じて、履歴から関心度の最高レベルを検出し、関心度の最高レベルに対応するレベルの健康情報を選択することができる。サーバ１は、携帯端末２と関連付けられている対象者の変更ありを示す判断結果に応じて、推定された関心度に対応するレベル以下の健康情報を選択することができる。  
携帯端末２と関連付けられている対象者（所有者）は、携帯端末２の譲渡などにより変わることがある。携帯端末２と関連付けられている現在の対象者の知識レベルは、以前に携帯端末２と関連付けられていた別の対象者の知識レベルよりも低いことがある。そのため、携帯端末２と関連付けられている現在の対象者は、以前の別の対象者に提供されたレベルと同じレベルの健康情報を受けても理解することができない可能性がある。携帯端末２と関連付けられている現在の対象者は、現在の自身の関心度に対応するレベル以下の健康情報を受ける方が好ましい。サーバ１は、携帯端末２と関連付けられている対象者の変更の有無に応じて対象者に提供する健康情報のレベルを変更することで、対象者に適した詳細度の健康情報を提供することができる。
【００７８】
さらに、本実施形態では、サーバ１は、第１の外部機器から関心情報を取得し、健康情報を第１の外部機器とは異なる第２の外部機器へ出力することができる。  
例えば、対象者は、ＡＩスピーカまたはスマートスピーカなどの第１の外部機器に健康に関する内容を発声により入力し、自身の携帯端末２などの第２の外部機器で健康情報を確認したいことがある。対象者は、健康に関する内容の入力と健康情報の確認を異なる機器で行うことができるので、対象者の利便性は向上する。
【００７９】
さらに、本実施形態では、サーバ１は、健康に対する関心度に応じて詳細度の異なる健康情報を選択することができる。  
対象者の健康に対する関心度が高くなればなるほど、対象者は、より詳細な健康に関する情報を望む傾向にある。サーバ１は、対象者の関心度に基づいて、対象者に適した詳細度の健康情報を提供することができる。対象者は、自身に適した健康情報を有効活用することができる。
【００８０】
§５  変形例  
（５−１  変形例１）  
本実施形態では、サーバ１が関心情報を取得し、関心情報に基づいて関心度を推定する例について説明したが、これに限定されない。携帯端末２のプロセッサ２０１は、関心情報に基づいて関心度を推定してもよい。この例では、携帯端末２のプロセッサ２０１は、サーバ１に実装される取得部１０１１に相当する取得部及び推定部１０１２に相当する推定部を実装する。携帯端末２は、健康情報の要求をサーバ１へ送信する。健康情報の要求は、関心度を示す情報を含む。サーバ１は、健康情報の要求を携帯端末２から受信する。サーバ１は、健康情報の要求に含まれる関心度を示す情報を参照する。サーバ１は、健康情報の要求に対する応答として、関心度に基づく健康情報を携帯端末２へ送信する。
【００８１】
（５−２  変形例２）  
要するにこの発明は、本実施形態そのままに限定されるものではなく、実施段階ではその要旨を逸脱しない範囲で構成要素を変形して具体化できる。また、本実施形態に開示されている複数の構成要素の適宜な組み合せにより種々の発明を形成できる。例えば、本実施形態に示される全構成要素からいくつかの構成要素を削除してもよい。さらに、異なる実施形態に亘る構成要素を適宜組み合わせてもよい。
【００８２】
§６  付記  
本実施形態の一部または全部は、特許請求の範囲のほか以下の付記に示すように記載することも可能であるが、これに限定されない。  
（付記）  
対象者の健康に対する関心を示す第１の情報を取得する取得部（１０１１）と、
前記第１の情報に基づいて、前記対象者の健康に対する関心度を推定する推定部（１０１２）と、
前記関心度に基づいて、前記対象者へ提供する健康に関する第２の情報を選択する選択部（１０１３）と、
前記第２の情報を出力する出力部（１０１４）と、
を備える情報処理装置（１）。
【符号の説明】
【００８３】
１…サーバ、２…携帯端末、３…血圧計、４…体重計、１００…情報配信システム、１０１…プロセッサ、１０２…ＲＯＭ、１０３…ＲＡＭ、１０４…記憶装置、１０５…通信インタフェース、１０１…プロセッサ、１０２…ＲＯＭ、１０３…ＲＡＭ、１０４…記憶装置、１０５…通信インタフェース、２０１…プロセッサ、２０２…ＲＯＭ、２０３…ＲＡＭ、２０４…記憶装置、２０５…通信インタフェース、２０６…入力部、２０７…表示部、２０８…音声出力部、１０１１…取得部、１０１２…推定部、１０１３…選択部、１０１４…出力部、Ａ１…サーバ、Ａ２…携帯端末。
【図１】
2020013309.tif 000003
【図２】
2020013309.tif 000004
【図３】
2020013309.tif 000005
【図４】
2020013309.tif 000006
【図５】
2020013309.tif 000007
【図６】
2020013309.tif 000008